(57)【特許請求の範囲】
【請求項１】
デジタル放送受信機本体を制御するための制御プログラムおよび制御データに対する更新データの他に、デジタル放送受信機のリモートコントロール装置を制御するための制御プログラムおよび制御データに対する更新データが放送によって送られてくるデジタル放送受信機であって、
デジタル放送受信機本体は、
デジタル放送受信機本体を制御するための制御プログラムおよび制御データが格納されている書き換え可能な不揮発性の第１メモリ、
デジタル放送受信機本体を制御するための制御プログラムおよび制御データに対する更新データと、リモートコントロール装置を制御するための制御プログラムおよび制御データに対する更新データとをダウンロードする手段、
第１メモリの内容を、ダウンロードした両更新データに書き換える手段、
第１メモリ内のリモートコントロール装置を制御するための制御プログラムおよび制御データに対する更新データを、所与の指令に基づいて、リモートコントロール装置に送信する手段、ならびに
リモートコントロール装置に上記更新データを送信している場合には、リモートコントロール装置のデータの更新を行っていることおよびデジタル放送受信機本体の電源を遮断してはならないことを示すメッセージをデジタル放送受信機本体に接続されている表示器に表示させる手段を備えており、
リモートコントロール装置は、
リモートコントロール装置を制御するための制御プログラムおよび制御データが格納されている書き換え可能な不揮発性の第２メモリ、ならびに
デシタル放送受信機本体から送信された、リモートコンロール装置を制御するための制御プログラムおよび制御データに対する更新データを受信し、第２メモリの内容を受信した更新データに書き換える手段、
を備えていることを特徴とするデジタル放送受信機。
【請求項２】
第１メモリ内のリモートコントロール装置を制御するための制御プログラムおよび制御データに対する更新データは、デシタル放送受信機本体とリモートコントロール装置とを接続するケーブルを介して、リモートコントロール装置に送信されることを特徴とする請求項１に記載のデジタル放送受信機。
【発明の詳細な説明】
【０００１】
【発明の属する技術分野】
この発明は、デジタル放送受信機に関する。
【０００２】
【従来の技術】
デジタル放送受信機は、リモートコントロール装置を備えている。リモートコントロール装置は、通常、図６に示すように、キー入力部２０１、マイコン部２０２および送信部２０３から構成されている。マイコン部２０２は、マイクロコンピュータ（マイコン）２１１とその制御プログラム、制御データ等を記憶する再書き込み不可能なＲＯＭ２１２とを備えている。
【０００３】
キー入力部２０１からのキー入力に対して、マイコン２１１は、ＲＯＭ２１２内の制御プログラムおよび制御データを読み出して、キー入力に応じた所定の処理を実行して、送信信号を生成する。この送信信号は、送信部２０３を介してデジタル放送受信機本体に送信される。
【０００４】
このように、リモートコントロール装置の制御はマイコン部によってなされているが、マイコン部のＲＯＭに格納されている制御プログラムにバグが存在することが発見された場合、またはデジタル放送受信機本体の機能拡張に応じてリモートコントロール装置も機能拡張させる必要がある場合には、制御プログラムが格納されているＲＯＭを交換する必要がある。
【０００５】
今後、デジタル放送受信機本体の機能が多彩化するにしたがって、双方向通信機能等、リモートコントロール装置の高度化が進められ、リモートコントロール装置の制御プログラムおよび制御データの量が増大することが予想される。それに伴い、制御プログラムおよび制御データにバグが発生する可能性が高くなる。また、デジタル放送受信機本体の機能拡張に伴う、リモートコントロール装置の機能拡張の必要性も高まると予想される。
【０００６】
【発明が解決しようとする課題】
この発明は、リモートコントロール装置に設けられかつその制御プログラムおよび制御データが格納されている記憶装置を交換することなく、制御プログラムおよび制御データの変更が行なえるようになるデジタル放送受信機を提供することを目的とする。
【０００７】
【課題を解決するための手段】
この発明によるデジタル放送受信機は、デジタル放送受信機本体を制御するための制御プログラムおよび制御データに対する更新データの他に、デジタル放送受信機のリモートコントロール装置を制御するための制御プログラムおよび制御データに対する更新データが放送によって送られてくるデジタル放送受信機であって、デジタル放送受信機本体は、デジタル放送受信機本体を制御するための制御プログラムおよび制御データが格納されている書き換え可能な不揮発性の第１メモリ、デジタル放送受信機本体を制御するための制御プログラムおよび制御データに対する更新データと、リモートコントロール装置を制御するための制御プログラムおよび制御データに対する更新データとをダウンロードする手段、第１メモリの内容を、ダウンロードした両更新データに書き換える手段、第１メモリ内のリモートコントロール装置を制御するための制御プログラムおよび制御データに対する更新データを、所与の指令に基づいて、リモートコントロール装置に送信する手段、ならびにリモートコントロール装置に上記更新データを送信している場合には、リモートコントロール装置のデータの更新を行っていることおよびデジタル放送受信機本体の電源を遮断してはならないことを示すメッセージをデジタル放送受信機本体に接続されている表示器に表示させる手段を備えており、リモートコントロール装置は、リモートコントロール装置を制御するための制御プログラムおよび制御データが格納されている書き換え可能な不揮発性の第２メモリ、ならびにデシタル放送受信機本体から送信された、リモートコンロール装置を制御するための制御プログラムおよび制御データに対する更新データを受信し、第２メモリの内容を受信した更新データに書き換える手段を備えていることを特徴とする。
【０００８】
第１メモリ内のリモートコントロール装置を制御するための制御プログラムおよび制御データに対する更新データは、たとえば、デシタル放送受信機本体とリモートコントロール装置とを接続するケーブルを介して、リモートコントロール装置に送信される。
【０００９】
【発明の実施の形態】
以下、図面を参照して、この発明をＣＳデジタル放送受信機に適用した場合の実施の形態について説明する。
【００１０】
〔１〕ＣＳデジタル放送受信機の構成の説明
【００１１】
図１は、ＣＳデジタル放送受信機の構成を示している。
【００１２】
ＣＳデジタル放送受信機は、受信機本体とリモートコントロール装置とから構成されている。
【００１３】
放送波は、アンテナおよびアンテナ入力端子１を介してチューナ部２に送られ、高周波処理および復調が行われる。チューナ２からの出力はＤＥＭＵＸ部３に送られ、パケットの復号が行われる。
【００１４】
ＤＥＭＵＸ部３において、パケットは、ＭＰＥＧデータと、付属情報とに分別される。ＤＥＭＵＸ部３によって分離されたＭＰＥＧデータは、ＡＶデコード部４に送られる。ＤＥＭＵＸ部３によって分離された付属情報は、システムコントロール部１０に送られる。
【００１５】
システムコントロール部１０は、ＣＰＵ１１、ＣＰＵ１１を立ち上げるためのブートＲＯＭ１２、受信機本体用制御プログラムおよび受信機本体用データを格納するフラッシュメモリ１３および必要なデータを記憶するＤＲＡＭ１４を備えている。ＣＰＵ１１は、ブートＲＯＭ１２により立ち上げられ、フラッシュメモリ１３内に格納されている受信機本体用制御プログラムおよび受信機本体用データを読み出すことにより、所定の処理を実行する。
【００１６】
ＣＰＵ１１は、ＤＥＭＵＸ部３から送られきた付属情報等をＤＲＡＭ１４に格納する。ＣＰＵ１１は、チューナ２およびＤＥＭＵＸ部３に選局のための情報等を送る。
【００１７】
ＣＰＵ１１には、リモートコントロール装置１００からのリモートコントロール信号がリモートコントロール信号受光部６を介して入力される。また、ＣＰＵ１１には、データポート７が接続されている。
【００１８】
ＡＶデコード部４は、ＤＥＭＵＸ部３から送られきたＭＰＥＧデータを復調する。ＡＶデコード部４によって得られた映像信号および音声信号は、ＡＶ出力端子５に送られる。
【００１９】
〔２〕リモートコントロール装置の構成の説明
【００２０】
図２は、リモートコントロール装置１００の構成を示している。
【００２１】
リモートコントロール装置１００は、キー入力部１０１、マイコン部１０２、送信部１０３およびデータポート部１０４を備えている。マイコン部１０２は、マイクロコンピュータ（マイコン）１１１とリモコン用制御プログラムおよびリモコン用データを記憶する再書き込み可能な不揮発性メモリであるフラッシュメモリ１１２とを備えている。
【００２２】
キー入力部１０１からのキー入力に対して、マイコン１１１は、フラッシュメモリ１１２内のリモコン用制御プログラムおよびリモコン用データを読み出して、キー入力に応じた所定の処理を実行して、送信信号を生成する。この送信信号は、送信部１０３を介してＣＳデジタル放送受信機のシステムコントロール部１０に送信される。
【００２３】
データポート部１０４は、ＣＳデジタル放送受信機のシステムコントロール部１０からデータを受信するために設けられている。
【００２４】
〔３〕受信機本体用制御プログラムおよび受信機本体用データならびにリモコン用制御プログラムおよびリモコン用データに対する更新データのダウンロードについての説明
【００２５】
この実施の形態では、特定の周波数帯において、受信機本体用制御プログラムおよび受信機本体用データならびにリモコン用制御プログラムおよびリモコン用データに対する更新データが放送によって送られる。
【００２６】
図３は、更新データをダウンロードする場合にシステムコントロール部１０によって実行される処理手順を示している。
【００２７】
まず、利用者によってダウンロード指令が入力されると（ステップ１）、更新データが存在する周波数帯にチューニングを行なう（ステップ２）。そして、電波状況を取得し（ステップ３）、取得した電波状況等に基づいて、ダウンロードを正常に行なえる状態か否かを判定する（ステップ４）。
【００２８】
ダウンロードを正常に行なえる状態でないと判定した場合には、今回のダウンロード処理を終了する。
【００２９】
ダウンロードを正常に行なえる状態であると判定した場合には、更新データを取得してＤＲＡＭ１４に格納する（ステップ５）。全ての更新データの取得が終了すると、フラッシュメモリ１３の内容をＤＲＡＭ１４に格納した更新データに書き換える（ステップ６）。
【００３０】
図４は、システムコントロール部１０内のフラッシュメモリ１３の内容を示している。
【００３１】
ＣＳデジタル放送受信機の出荷時には、図４（ａ）に示すように、フラッシュメモリ１３には、受信機本体用制御プログラムおよび受信機本体用データ２８が格納されている。図４（ａ）では、受信機本体用データには、ハードウェア制御データ、フォントデータおよび画像データが含まれている。フラッシュメモリ１３には、空き領域２９が存在している。
【００３２】
図４（ｂ）は、ダウンロードされた更新データが格納された状態を示している。更新データには、受信機本体用制御プログラムおよび受信機本体用データに対する更新データの他、リモコン用制御プログラムおよびリモコン用データに対する更新データも含まれている。
【００３３】
したがって、フラッシュメモリ１３には、受信機本体用制御プログラムおよび受信機本体用データに対する更新データ２８’の他、リモコン用制御プログラムおよびリモコン用データに対する更新データ３０も格納される。なお、３１は空き領域を示している。
【００３４】
〔４〕受信機本体からリモートコントロール装置へのリモコン用制御プログラムおよびリモコン用データに対する更新データのダウンロードについての説明
【００３５】
受信機本体のフラッシュメモリ１３に格納されているリモコン用制御プログラムおよびリモコン用データに対する更新データを、リモートコントロール装置１００にダウンロードする場合の動作について説明する。
【００３６】
まず、図５に示すように、受信機本体５１のデータポート７と、リモートコントロール装置１００のデータポート１０４とをケーブル６１によって接続する。図５において、５２は受信機本体５１に接続されたテレビジョン受像機を示している。
【００３７】
利用者は、リモートコントロール装置１００を操作することによって、受信機本体５１のシステムコントロール部１０に、リモコン用制御プログラムおよびリモコン用データに対する更新データをリモートコントロール装置１００にダウンロードさせるための指令を、リモートコントロール信号受光部６を介して入力させる。
【００３８】
システムコントロール部１０は、この指令を受信すると、フラッシュメモリ１３に格納されているリモコン用制御プログラムおよびリモコン用データに対する更新データを、データポート７に送出する。これにより、データポート７、ケーブル６１およびデータポート１０４を介して、リモートコントロール装置１００内のマイコン１１１にリモコン用制御プログラムおよびリモコン用データに対する更新データが送られる。
【００３９】
マイコン１１１は、フラッシュメモリ１１２の内容を、システムコントロール部１０から送られてきた更新データに書き換える。
【００４０】
なお、システムコントロール部１０は、リモコン用制御プログラムおよびリモコン用データに対する更新データをリモートコントロール装置１００に送信している場合には、図５に示すように、テレビジョン受像機５２の表示器に、リモートコントロール装置１００のデータ更新を行なっていること、および電源を切断してはならないことを示すメッセージを表示させることが好ましい。
【００４１】
【発明の効果】
この発明によれば、リモートコントロール装置に設けられかつその制御プログラムおよび制御データが格納されている記憶装置を交換することなく、制御プログラムおよび制御データの変更が行なえるようになる。
【図面の簡単な説明】
【図１】デジタルテレビ放送受信機の構成を示すブロック図である。
【図２】リモートコントロール装置の構成を示すブロック図である。
【図３】更新データをダウンロードする場合にシステムコントロール部によって実行される処理手順を示すフローチャートである。
【図４】システムコントロール部内のフラッシュメモリの内容を示す模式図である。
【図５】受信機本体のデータポートと、リモートコントロール装置のデータポートとがケーブルによって接続された状態を示す模式図ある。
【図６】従来のリモートコントロール装置の構成を示すブロック図である。
【符号の説明】
１０  システムコントロール部
１１  ＣＰＵ
１３  フラッシュメモリ
５１  受信機本体
１００  リモートコントロール装置
１０４  データポート部
１１１  マイコン
１１２  フラッシュメモリ
【図１】
0003643736.tif 000002
【図２】
0003643736.tif 000003
【図３】
0003643736.tif 000004
【図４】
0003643736.tif 000005
【図５】
0003643736.tif 000006
【図６】
0003643736.tif 000007